(57)【要約】      （修正有）【課題】個人で撮影されたパーソナルビデオコンテンツを、統一した形式に変換し、データセンターなどに委託するブロードバンド環境上でのコンテンツビジネスの提供。【解決手段】個人で撮影されたパーソナルビデオ映像記憶媒体（ＶＨＳ−Ｃ，Ｈｉ−８，Ｂｅｔａ，ＶＨＳなど）を代理店経由にて預り、その記憶形式をストリーミングまたはＭＰＥＧ形式などのデジタルビデオ記憶形式に変換すると同時に、映像の内容毎にディレクトリ情報を付加したデータファイルを、データセンターまたはアクセス通信事業者のセンターなどの集中管理された場所に設置された記憶装置にて保管する。そして、その保管されたデジタルビデオ映像コンテンツを、ブロードバンド系高速アクセス回線を経由して、保管依頼した人または関係者が、パソコンもしくはテレビにて見たい時に見たい内容を自由に選択して、いわゆるＶＯＤ（Ｖｉｄｅｏ  ｏｎ  Ｄｅｍａｎｄ）形態にて視聴する。【選択図】図１
2004266790.tif 000002
【特許請求の範囲】
【請求項１】
個人で撮影されたパーソナルビデオコンテンツを、ある一定のデジタルビデオ記憶形式に変換すると同時に、映像の内容毎にディレクトリ情報を付加した形にしたデータファイルを、データセンターなどの集中管理された場所に設置された記憶装置にて保管することを特徴とするパーソナルコンテンツアーカイブ（保管）システムと、同システムにて保管されたデジタルビデオ映像コンテンツを、ブロードバンド系高速アクセス回線を経由して、保管依頼した人がパソコンもしくはテレビにて見たい時に見たい内容を自由に選択して、いわゆるビデオオンディマンド（以下ＶＯＤ）形態にて視聴することを特徴とするアーカイブコンテンツ視聴システム。
【請求項２】
パーソナルビデオコンテンツをデジタル形式に変換する際に、そのデジタルビデオ記憶形式としてストリーミング形式、ＭＰＥＧ形式など複数の種類を保管依頼側の要望に沿って振り分け可能とすることを特徴とする請求項１記載のパーソナルコンテンツアーカイブシステム。
【請求項３】
パーソナルビデオコンテンツをデジタル形式に変換する際に付加するディレクトリ情報として、文字のみの情報、映像の一部を切り取って作成されたサムネイル（小さな静止画像）が付加された情報、のそれぞれについて保管依頼側の要望に沿って振り分け可能とすることを特徴とする請求項１記載のパーソナルコンテンツアーカイブシステム。
【請求項４】
請求項１のシステムにて保管されたデジタルビデオ映像コンテンツを視聴する際に、視聴が許可されたユーザーだけが該コンテンツにアクセスできるよう、ランダムもしくは依頼人から指定された内容にて、コンテンツを保管する際に作成されたＩＤおよびパスワードによりアクセスコントロールができることを特徴とする請求項１記載のアーカイブコンテンツ視聴システム。
【請求項５】
請求項１のシステムにて保管されたデジタルビデオ映像コンテンツを視聴する際に、コンテンツ内容に著作権関連の映像が入っていた場合や、ＩＤとパスワードが他人に漏れた場合の対応として、視聴が許可された端末だけが該コンテンツにアクセスできるよう、視聴用の端末そのものを認証することによりアクセスコントロールができることを特徴とする請求項１記載のアーカイブコンテンツ視聴システム。
【請求項６】
請求項１のシステムにて保管されたデジタルビデオ映像コンテンツを、同じく請求項１で示した高速アクセス回線経由にて視聴する際に、よりセキュリティ性を高めるためにＩＰＳｅｃ（ＩＰ  Ｓｅｃｕｒｉｔｙ）機能などによるデータの暗号化、またはＶＰＮ（Ｖｉｒｔｕａｌ  Ｐｒｉｖａｔｅ  Ｎｅｔｗｏｒｋ）などによるネットワーク上での閉域グループ化を行えることを特徴とする請求項１記載のアーカイブコンテンツ視聴システム。
【請求項７】
個人で撮影されたパーソナルビデオ映像記憶媒体（８ミリテープ、ＶＨＳ−Ｃ、Ｈｉ−８など）を代理店（コンビニ、ＤＰＥショップなど）経由、もしくは郵送や運送会社の配達にて預り、その記憶形式をある一定のデジタルビデオ記憶形式に変換すると同時に、映像の内容毎にディレクトリ情報を付加した形にしたデータファイルを、データセンターなどの集中管理された場所に設置された記憶装置にて保管し、その保管されたデジタルビデオ映像コンテンツを、ブロードバンド系高速アクセス回線を経由して、保管依頼した人がパソコンもしくはテレビにて見たい時に見たい内容を自由に選択して、いわゆるＶＯＤ形態にて視聴することを特徴とするパーソナルコンテンツアーカイブ、および同アーカイブコンテンツ視聴のためのビジネス方法。
【請求項８】
パーソナルビデオコンテンツをデジタル形式に変換する際に、そのデジタルビデオ記憶形式としてストリーミング形式、ＭＰＥＧ形式など複数の種類を保管依頼側の要望に沿って振り分け可能とすることを特徴とする請求項７記載のパーソナルコンテンツアーカイブのためのビジネス方法。
【請求項９】
パーソナルビデオコンテンツをデジタル形式に変換する際に付加するディレクトリ情報として、文字のみの情報、映像の一部を切り取って作成されたサムネイルが付加された情報、のそれぞれについて保管依頼側の要望に沿って振り分け可能とすることを特徴とする請求項７記載のパーソナルコンテンツアーカイブのためのビジネス方法。
【請求項１０】
請求項７のビジネス方法にて保管されたデジタルビデオ映像コンテンツを視聴する際に、視聴が許可されたユーザーだけが該コンテンツにアクセスできるよう、ランダムもしくは依頼人から指定された内容にて、コンテンツを保管する際に作成されたＩＤおよびパスワードによりアクセスコントロールができることを特徴とする請求項７記載のアーカイブコンテンツ視聴のためのビジネス方法。
【請求項１１】
請求項７のビジネス方法にて保管されたデジタルビデオ映像コンテンツを視聴する際に、コンテンツ内容に著作権関連の映像が入っていた場合や、ＩＤとパスワードが他人に漏れた場合の対応として、視聴が許可された端末だけが該コンテンツにアクセスできるよう、端末を認証することによりアクセスコントロールができることを特徴とする請求項７記載のアーカイブコンテンツ視聴のためのビジネス方法。
【請求項１２】
請求項７のビジネス方法にて保管されたデジタルビデオ映像コンテンツを、同じく請求項７で示した高速アクセス回線経由にて視聴する際に、よりセキュリティ性を高めるためにＩＰＳｅｃ機能などによるデータの暗号、またはＶＰＮなどによるネットワーク上での閉域グループ化を行えることを特徴とする請求項７記載のアーカイブコンテンツ視聴のためのビジネス方法。
【発明の詳細な説明】
【０００１】
【発明の属する技術分野】
この発明は、個人で撮影した過去のパーソナルビデオ媒体を預かった後に、一定のデジタル記憶形式に変換した上で保管し、その保管されたビデオコンテンツを保管依頼人が家庭にいながらにして、見たい場面をテレビまたはパソコン上の画面に表示されたディレクトリ情報から容易に選択し、見たい時にブロードバンド回線を経由することによるＶＯＤ形式によって瞬時に視聴できる環境を提供するビジネスシステムおよび方法に関する。
【０００２】
【従来の技術】
従来、個人が過去に撮影したホームビデオコンテンツを視聴する場合、その該当する内容が記録されているビデオコンテンツ記憶媒体（８ミリテープ、ＶＨＳ−Ｃ、Ｈｉ−８など）を探し出し、個人が所有するビデオ再生装置を使用して、その装置に付いているモニターもしくはテレビと接続する形にてそのビデオコンテンツを視聴している。
【０００３】
また、ブロードバンド回線を利用した娯楽の一つとして、家庭にてビデオコンテンツを視聴する仕組みとしては、映画やプロスポーツなどのようないわゆる放送に近い形でのマスコミュニケーション的なコンテンツを、純粋な娯楽の一種として視聴している。
【０００４】
【発明が解決しようとする課題】
しかしながら、以上の従来技術では、個人が過去に撮影したビデオコンテンツの記憶媒体保管状況が悪い場合、まず見たい場面が記録されている該当記憶媒体を探すことが困難であり、同媒体がみつからない限りはそのコンテンツを視聴することができない。
【０００５】
さらに、その記憶媒体があったとしても、その記録形式が古いものである場合その個人が現在所有するビデオ再生装置では記憶形式が合わず、再生できないことから、ビデオ再生装置をレンタルするといったような事態が発生する。
【０００６】
その上、従来のブロードバンド回線上で提供されているマスコンテンツでは、様々な権利処理が必要となっており、その結果ブロードバンド環境上でのマスコンテンツ普及の大きな妨げとなっている。
【０００７】
そこで、この発明では、各個人のパーソナルビデオコンテンツを全てデジタルの統一した形式に変換し、データセンターなどにて委託保管することにより紛失を回避すると同時に、ブロードバンド回線を経由した形で自宅にいながらにして保管されたビデオを見られるような環境を提供し、なおかつビデオコンテンツの内容にディレクトリ情報を予め埋め込んでおくことにより、見たい場面をオンデマンド形式にて自由に選択し視聴する手段を提供すると共に、本発明で扱うコンテンツが個人のもので、それを自分で楽しむための方法であることから、権利処理などの問題が発生せず、普及拡大が充分に期待できるブロードバンド環境上でのコンテンツビジネスを提供することを課題とする。
【０００８】
【課題を解決するための手段】
以上の課題を解決するために、請求項１および７のパーソナルコンテンツアーカイブ、およびアーカイブコンテンツ視聴のシステムとビジネス方法の発明では、個人で撮影されたパーソナルビデオ映像記憶媒体を代理店経由、もしくは郵送や運送会社の配達にて預り、ある一定のデジタルビデオ記憶形式に変換すると同時に、映像の内容毎にディレクトリ情報を付加した形にしたデータファイルを、データセンターなどの集中管理された場所に設置された記憶装置にて保管する。
【０００９】
請求項２および８の発明では、パーソナルビデオ映像をデジタル形式に変換する際に、そのデジタルビデオ記憶形式としてストリーミング形式、ＭＰＥＧ形式など複数の種類を、保管依頼側の要望に沿っての振り分けをシステム、およびビジネス方法として可能とする。
【００１０】
請求項３および９の発明では、パーソナルビデオ映像をデジタル形式に変換する際に付加するディレクトリ情報として、文字のみの情報、映像の一部を切り取って作成されたサムネイルが付加された情報、のそれぞれについて保管依頼側の要望に沿っての振り分けをシステム、およびビジネス方法として可能とする。
【００１１】
請求項４および１０の発明では、請求項１および７のシステムとビジネス方法にて保管されたデジタルビデオ映像コンテンツを視聴する際に、視聴が許可されたユーザーだけが該コンテンツにアクセスできるよう、ランダムもしくは依頼人から指定された内容にて、コンテンツを保管する際に作成されたＩＤおよびパスワードによりアクセスコントロールをシステム、おびびビジネス方法として可能とする。
【００１２】
請求項５および１１の発明では、請求項１および７のシステムとビジネス方法にて保管されたデジタルビデオ映像コンテンツを視聴する際に、コンテンツ内容に著作権関連の映像が入っていた場合や、ＩＤとパスワードが他人に漏れた場合においても、視聴が許可された端末だけが該コンテンツにアクセスできるよう、端末を認証することによりアクセスコントロールをシステム、およびビジネス方法として可能とする。
【００１３】
請求項６および１２の発明では、請求項１および７のシステムとビジネス方法にて保管されたデジタルビデオ映像コンテンツを、請求項１および７で示した高速アクセス回線経由にて視聴する際に、よりセキュリティ性を高めるためにＩＰＳｅｃ機能などによるデータの暗号化、またはＶＰＮなどによるネットワーク上での閉域グループ化を行える機能によるデータの暗号化をシステム、およびビジネス方法として可能とする。
【００１４】
【発明の実施の形態】
この発明の一実施形態を、以下に図面にて詳細に説明する。
図１は、本発明の実施形態に係る全体の構成を現した図である。
【００１５】
図１において、ユーザー１２は代理店・郵便局・運送会社など１１を通して、ユーザーが所有するビデオコンテンツの保管・加工を依頼する。依頼されたビデオコンテンツは、ビデオコンテンツ加工・保管センター１０にてデジタル加工された後に保管される。保管されたビデオコンテンツをユーザーが視聴する場合は、ＣＡＴＶ（ＣＡｂｌｅ  ＴｅｌｅＶｉｓｉｏｎ）・ＡＤＳＬ（Ａｓｙｍｅｔｒｉｃ  Ｄｉｇｉｔａｌ  Ｓｕｂｓｃｒｉｂｅｒ  Ｌｉｎｅ）・ＦＴＴＨ（Ｆｙｂｅｒ  Ｔｏ  Ｔｈｅ  Ｈｏｍｅ）等のいずれかのブロードバンドアクセス回線１４、およびＩＸ（Ｉｎｔｅｒｎｅｔ  Ｅｘｃｈａｎｇｅ）１３を経由し、ビデオコンテンツ加工・保管センター１０内にあるビデオサーバ６を通してＶＯＤ形式にて自由に見ることが出来る。
【００１６】
次にコンテンツ登録処理とコンテンツアクセス処理の２つに大別してさらに詳しく説明する。
図４においてコンテンツ登録処理の流れをフローチャートにて、また図１および図２においてコンテンツ登録処理の要素をそれぞれ現す。
【００１７】
ユーザー１２は代理店・郵便局・運送会社など１１を通して、ユーザーが所有するビデオコンテンツの保管・加工を依頼する。その際にユーザーは、コンテンツ記憶媒体（８ミリテープ、ＶＨＳ−Ｃ、Ｈｉ−８など）と同時に、住所などの顧客基本情報、およびコンテンツ加工に関する処理情報、さらには文字でのディレクトリ情報付加を希望する場合その情報を申し込み書に記入し、本サービス提供事業者へ提示する（ステップＳ４０１）。本サービス提供事業者にて入手されたビデオコンテンツは、ビデオコンテンツ加工・保管センター１０において、該コンテンツの再生可能機器であるコンテンツ入力部４を介してコンテンツ加工処理装置３に入力される。
【００１８】
図２に示すコンテンツ加工処理装置ブロック構成のうち、コンテンツデータ入力部２０１より該コンテンツがコンテンツ加工処理装置３内に取り込まれ、同時にコンテンツ加工情報入力部２０２より、申し込み書によって指定された変換後のデジタルフォーマット形式（ＭＰＥＧまたはストリーミング形式）情報、ディレクトリ形式（文字情報のみ、またはサムネイル形式）情報、および住所などの顧客基本情報が入力される。該指定情報に基づいて、入力されたコンテンツデータは指定デジタルフォーマット変換部２０３にて形式変換される（ステップＳ４０２）と同時に、指定ディレクトリ形式（文字情報のみ、またはサムネイル形式）のディレクトリが、ディレクトリ情報生成部２０４にて生成（サムネイルの場合には自動生成、文字情報の場合にはユーザーからの指定情報から文字入力により生成）され、変換済のコンテンツデータに関連付ける形で付加される（ステップＳ４０３）。出来上がったコンテンツデータ情報ファイルは、ストレージ出力部２０６を介してビデオコンテンツストレージ２へ登録され保管される（ステップＳ４０４）。さらに、保管済コンテンツにユーザーが後にアクセスする際に必要となるＩＤ、パスワードが顧客情報生成部２０５にてランダムに生成され、該コンテンツのストレージ内保管位置情報と関連付けられた上で、顧客情報管理ＤＢサーバ１へ登録される（ステップＳ４０５）。その際、生成されたＩＤとパスワードは、ユーザー認証処理の高速化を図るためユーザー認証サーバ８にも必要に応じて登録されてもよい（ステップＳ４０６）。
【００１９】
ビデオコンテンツ加工・保管センター１０での加工・保管処理が全て終了した後に、ユーザーから預かったコンテンツ媒体および生成されたＩＤとパスワードが、代理店・郵便局・運送会社など１１を通して依頼元ユーザーへ引き渡される（ステップＳ４０７）。なおこの際に保管コンテンツへのアクセス方法についての詳細も告知される。
【００２０】
次に、図５および６においてコンテンツアクセス処理の流れをフローチャートにて、また図１および図３においてコンテンツアクセス処理の要素をそれぞれ現す。
【００２１】
ユーザー１２は自分が使用しているＣＡＴＶ・ＡＤＳＬ・ＦＴＴＨ等のいずれかのブロードバンドアクセス回線１４、およびＩＸ１３を経由し、予め告知されたビデオコンテンツ加工・保管センター１０へのアクセス方法に従ってアクセスする。ビデオコンテンツ加工・保管センター１０側ではそのアクセスはルータ９を介してユーザー認証サーバ８にて検知されると、ユーザー側に対しＩＤとパスワード入力が求められる。ユーザー側にてＩＤとパスワードが入力される（ステップＳ５０１／Ｓ６０１）と、ユーザー認証サーバ８内、もしくは顧客情報管理ＤＢサーバ１内にある登録済ユーザーＩＤ・パスワードＤＢが検索され、一致するものがある場合には、そのＩＤ・パスワードに関連する顧客情報が顧客情報管理ＤＢサーバ１より読み出され（ステップＳ５０２／Ｓ６０２）、該内容がコンテンツアクセス制御装置７に入力される。
【００２２】
図３に示すコンテンツアクセス制御装置ブロック構成のうち、ユーザー情報データ入力部３０１より該当顧客情報がコンテンツアクセス制御装置内に取り込まれ、ユーザー個別アクセス処理部３０２にてその情報を元に該ユーザに関するコンテンツデータ情報ファイルがビデオコンテンツストレージ２より出力され、同ファイル上にて保管されているディレクトリ情報に基づいたディレクトリ一覧表示画面がユーザー側端末に表示される（ステップＳ５０３／Ｓ６０３）。同ディレクトリ表示画面より選択されたコンテンツが、指定コンテンツ再生処理部３０３にてビデオコンテンツストレージ２より引き出され、ビデオサーバ６に渡された後にＣＡＴＶ・ＡＤＳＬ・ＦＴＴＨ等のいずれかのブロードバンドアクセス回線１４、およびＩＸ１３を経由しＶＯＤ形態にてユーザー端末上で再生される（ステップＳ５０４／Ｓ６０４）。
【００２３】
ユーザー側にて一つのコンテンツ視聴が終了すると、視聴ログ採取処理部３０４にて視聴ログが採取され、顧客情報管理ＤＢサーバ１へ渡され保存される（ステップＳ５０５／Ｓ６０５）。その後別コンテンツを視聴する場合には、再度ディレクトリー覧表示画面に戻り、同様なステップで指定されたコンテンツの視聴が最終的な視聴完了まで繰り返される（ステップＳ５０６／Ｓ６０６）。
【００２４】
なお、ユーザー１２が保管されたコンテンツにアクセスする際に入力が求められるＩＤとパスワードについては、ユーザーがコンテンツ媒体を代理店・郵便局・運送会社など１１を通して保管依頼する際に、ユーザー側が指定した内容を使用してもよい。
【００２５】
また、ユーザー１２がＣＡＴＶ・ＡＤＳＬ・ＦＴＴＨ等のいずれかのブロードバンドアクセス回線１４、およびＩＸ１３を経由し、ビデオコンテンツ加工・保管センター１０内の保管コンテンツを視聴する際に、センター側にＶＰＮ装置を、さらにユーザー宅側にＶＰＮクライアント装置（ソフト）をそれぞれ設置することにより、その間の回線上に流れるデータを暗号化することによりセキュリティ性を高めてもよい。その際、予めＶＰＮ装置へのアクセス用ＩＤとパスワードをユーザー側に告知しておく必要がある。
【００２６】
さらに、ユーザー１２が保管コンテンツアクセス用に使用しているＩＤとパスワードが他人に漏れてしまった場合や、ユーザーが保管依頼したコンテンツに一般的版権処理が必要な映像が含まれていた場合などを想定し、ＩＤとパスワードだけではなく、視聴される側の使用端末のＭＡＣアドレス、またはソフト的なＩＤにて識別し、ユーザー認証サーバ８でのアクセス時認証を行うことにより、より強固なセキュアシステムとしてもよい。
【００２７】
ユーザー側で使用する端末は、デジタル記憶形式がストリーミング形式の場合にはパソコンを、ＭＰＥＧ形式の場合にはセットトップボックス（ＳＴＢ）を経由してのＴＶ、のどちらかが使用される。
【００２８】
【発明の効果】
以上説明したように、この発明によれば、各個人のパーソナルビデオコンテンツを全てデジタルの統一した形式に変換し、データセンターなどにて委託保管することにより紛失を回避すると同時に、ブロードバンド回線を経由した形で自宅にいながらにして保管されたビデオを見られるような環境を提供し、なおかつビデオコンテンツの内容にディレクトリ情報を予め埋め込んでおくことにより、見たい場面をオンデマンド形式にて自由に選択し視聴する手段を提供すると共に、本発明で扱うコンテンツが個人のもので、それを自分で楽しむための方法であることから、権利処理などの問題が発生せず、普及拡大が充分に期待できるブロードバンド環境上でのコンテンツビジネスを提供することが可能となる。
【図面の簡単な説明】
【図１】この発明の一実施形態を示す全体構成図である。
【図２】コンテンツ加工処理装置の詳細ブロック図である。
【図３】コンテンツアクセス制御装置の詳細ブロック図である。
【図４】コンテンツ登録処理のフローを示した図である。
【図５】ストリーミング形式によるコンテンツアクセス処理のフローを示した図である。
【図６】ＭＰＥＧ形式によるコンテンツアクセス処理のフローを示した図である。
【符号の説明】
１        顧客情報管理ＤＢサーバ
２０１    コンテンツデータ入力部
３０１    ユーザー情報データ入力部
Ｓ４０１  コンテンツ登録処理フローステップ１
Ｓ５０１  コンテンツアクセス処理フローステップ１
Ｓ６０１  コンテンツアクセス処理フロー（その２）ステップ１
【図１】
2004266790.tif 000003
【図２】
2004266790.tif 000004
【図３】
2004266790.tif 000005
【図４】
2004266790.tif 000006
【図５】
2004266790.tif 000007
【図６】
2004266790.tif 000008